(57)【要約】【課題】現在の入浴者が嗜好する可能性の高いコンテンツを自動選択して入浴者に対して再生可能な風呂装置を提供する。【解決手段】風呂湯はり機能を有する風呂装置であって、浴室外リモコン２の制御部４を、風呂湯はり完了時点からの現在の入浴者の入浴順を推定する入浴順推定手段、並びに、推定された入浴順に応じた個別の選択基準に基づいて複数のコンテンツのうち一のコンテンツを自動選択するコンテンツ自動選択手段として機能させ、浴室外リモコン２との間で音声送受信可能な風呂リモコン１を、コンテンツ自動選択手段により選択されたコンテンツを浴室内で再生するコンテンツ再生手段として機能させる。【選択図】図１
2018017411.tif 000002
【特許請求の範囲】
【請求項１】
風呂湯はり機能を有する風呂装置であって、風呂湯はり完了時点からの現在の入浴者の入浴順を推定する入浴順推定手段と、推定された入浴順に応じた個別の選択基準に基づいて複数のコンテンツのうち一のコンテンツを自動選択するコンテンツ自動選択手段と、該コンテンツ自動選択手段により選択されたコンテンツを浴室内で再生するコンテンツ再生手段とを備える、風呂装置。
【請求項２】
請求項１に記載の風呂装置において、前記複数のコンテンツは、複数の放送局により公衆無線放送若しくはインターネット通信を介して提供されるものであり、前記コンテンツ自動選択手段は、いずれか一の放送局を自動選択することにより複数のコンテンツのうち一のコンテンツを自動選択するよう構成されている、風呂装置。
【請求項３】
請求項２に記載の風呂装置において、前記複数の放送局のうち一の放送局を手動選択する放送局選択操作手段と、該放送局選択操作手段によって選択された放送局に関する情報を現在の入浴者の入浴順と関連付けて記憶する手動選択情報記憶手段とをさらに備え、前記コンテンツ自動選択手段は、各入浴順に関連付けて前記手動選択情報記憶手段に記憶された放送局に関する情報を各入浴順毎の個別の選択基準とするよう構成されている、風呂装置。
【請求項４】
請求項３に記載の風呂装置において、前記手動選択情報記憶手段は、選択された放送局に関する情報及び現在の曜日情報を、現在の入浴者の入浴順と関連付けて記憶するよう構成され、前記コンテンツ自動選択手段は、各入浴順に関連付けて前記手動選択情報記憶手段に記憶された放送局に関する情報及び曜日情報を各入浴順毎の個別の選択基準とするよう構成されている、風呂装置。
【請求項５】
請求項１に記載の風呂装置において、前記複数のコンテンツのうち一のコンテンツを手動選択するコンテンツ選択操作手段と、該コンテンツ選択操作手段によって選択されたコンテンツに関する情報を現在の入浴者の入浴順と関連付けて記憶する手動選択情報記憶手段とをさらに備え、前記コンテンツ自動選択手段は、各入浴順に関連付けて前記手動選択情報記憶手段に記憶されたコンテンツに関する情報を各入浴順毎の個別の選択基準とするよう構成されている、風呂装置。
【請求項６】
請求項５に記載の風呂装置において、前記手動選択情報記憶手段は、選択されたコンテンツに関する情報及び現在の曜日情報を、現在の入浴者の入浴順と関連付けて記憶するよう構成され、前記コンテンツ自動選択手段は、各入浴順に関連付けて前記手動選択情報記憶手段に記憶されたコンテンツに関する情報及び曜日情報を各入浴順毎の個別の選択基準とするよう構成されている、風呂装置。
【発明の詳細な説明】
【技術分野】
【０００１】
本発明は、風呂湯はり機能を有する風呂装置に関し、特に、複数のラジオ放送局が配信する複数の番組などの複数のコンテンツのうち一のコンテンツを選択して入浴者に対して再生可能な風呂装置に関する。
【背景技術】
【０００２】
本願出願人は、例えば、下記の特許文献１に、台所リモコンに接続した音楽プレーヤーから出力されるオーディオ信号を風呂リモコンのスピーカから再生出力可能に構成した風呂装置を開示している。
【先行技術文献】
【特許文献】
【０００３】
【特許文献１】特許第５７３７００９号公報
【発明の概要】
【発明が解決しようとする課題】
【０００４】
上記従来の風呂装置では、音楽プレーヤーで再生される音楽コンテンツは、ユーザーが入浴前に音楽プレーヤーの操作によって選択しておく必要がある。
【０００５】
しかし、複数人の家族の場合、各人が嗜好する音楽コンテンツは異なる場合が多く、上記従来の風呂装置では、各人がそれぞれ入浴直前に自分が嗜好する音楽コンテンツに切り替えて再生しておく必要がある。
【０００６】
また、音楽プレーヤーに代えて台所リモコンをインターネットに接続して、インターネットラジオを風呂リモコンから再生可能に構成することもできるが、この場合においても、各人が嗜好するラジオ番組（コンテンツ）が異なり、風呂リモコンの操作によって聴取する放送局を選局可能に構成したとしても、前の入浴者が聴取していた放送局が選局されたままの状態となっているため、次の入浴者が入浴する際に毎回放送局を選局し直す必要がある。
【０００７】
一方、家族の日々の入浴順や入浴時刻はほぼ一定であることが統計上判明している。
【０００８】
そこで、本発明は、現在の入浴者が嗜好する可能性の高いコンテンツを自動選択可能な風呂装置を提供することを目的とする。
【課題を解決するための手段】
【０００９】
上記目的を達成するために、本発明は、次の技術的手段を講じた。
【００１０】
すなわち、本発明は、風呂湯はり機能を有する風呂装置であって、風呂湯はり完了時点からの現在の入浴者の入浴順を推定する入浴順推定手段と、推定された入浴順に応じた個別の選択基準に基づいて複数のコンテンツのうち一のコンテンツを自動選択するコンテンツ自動選択手段と、該コンテンツ自動選択手段により選択されたコンテンツを浴室内で再生するコンテンツ再生手段とを備えるものである（請求項１）。
【００１１】
かかる本発明の風呂装置によれば、入浴順推定手段によって風呂湯はり完了時点からの現在の入浴者の入浴順が何番目であるかを推定し、推定された入浴順に応じて個別の選択基準（例えば入浴順毎に蓄積した過去の選局実績や再生実績を選択基準としたり、入浴順毎に異なる選択アルゴリズムを選択基準とするなど）に基づいて一のコンテンツを自動選択することで、自動選択されるコンテンツが現在の入浴者の嗜好に応じたものとなる確率を向上させることができ、自動選択されたコンテンツを入浴者が聴取乃至視聴可能なように再生することで、各入浴者によるコンテンツの切り替えの手間を軽減させることができ、入浴中のストレスを一層軽減して、より快適な入浴体験を提供できる。
【００１２】
上記本発明の風呂装置において、入浴順推定手段は必ずしも厳密に現在の入浴者の入浴順を判定するものでなくてもよく、ある程度確からしい入浴順を推定するものであればよい。かかる入浴順推定手段は適宜の構成とすることができ、例えば、風呂湯はり完了時に入浴順を０に初期化し、風呂リモコンに設けたコンテンツ再生ＯＮボタン（ラジオＯＮボタンなど）のオン操作によってコンテンツ再生停止状態から再生状態に変更操作される毎に、次の入浴者の入浴が開始したものとみなして、入浴順を１つ増分していくよう構成できる。この場合、入浴者が退室する際にはコンテンツ再生停止状態とするよう案内しておくことが好ましく、また、入浴者の退室乃至入浴終了を検知できる場合には自動的にコンテンツ再生停止状態に切り替えるよう構成することも可能である。
【００１３】
また、入浴順推定手段は、例えば、入浴者が入室しているか否かを検出可能な赤外線センサなどを用いて、入浴者が浴室内に存在しない状態から浴室内に存在する状態に変化したときに、次の入浴者による入浴が開始したものとみなして、入浴順を１つずつ増分していくこともできる。これによれば、入浴者が変わったことをより正確に検出でき、各入浴者の嗜好に応じて入浴者が入室した時に入浴者の嗜好に合ったコンテンツを的確に自動選択できる。
【００１４】
また、入浴順推定手段は、数秒以内の短時間での浴槽内の検出水位の変化量が大きく変化した場合に、次の入浴者による入浴がなされているものとみなして、入浴順を１つずつ増分していくよう構成することもできる。すなわち、例えば最初の入浴者が父親の場合、浴槽に浸かっているときの水位と、浴槽から出たときの水位との差は大きくなる。次の入浴者が子どもの場合、浴槽に浸かっているときの水位と、浴槽から出たときの水位との差はかなり小さくなるため、このように水位変化量が大きく変化したことを検出すると、入浴者が変わったものと判定して、入浴順を増分することができる。
【００１５】
また、各コンテンツは、放送局により公衆無線放送（ラジオ放送やテレビ放送など）若しくはインターネット通信を介して提供されるものであってよい。公衆無線放送を介して提供されるものである場合、各放送局毎に周波数チャンネルが割り当てられており、いずれか一の放送局を選局するためのチューナーを設けることで、選局した放送局が放送中のコンテンツを取得できる。
【００１６】
インターネット通信を介してインターネット放送局がコンテンツを提供する方法としては、ライブストリーミング方式と、オンデマンド方式とがあるが、本発明はいずれの場合でも適用できる。すなわち、いずれの方式の場合でも、放送局毎にＵＲＩが指定されており、当該ＵＲＩから例えばＨＴＴＰ経由でコンテンツを取得できる。ライブストリーミング方式の場合には放送局がライブ配信しているコンテンツが取得されることとなる。一方、オンデマンド方式の場合、接続要求に応じて、放送局が予め用意しているコンテンツが最初から配信されることとなる。また、ｒａｄｉｋｏ（登録商標）などのＩＰサイマルラジオサービスに接続して、選択したラジオ放送局がライブストリーミング配信するラジオ番組（コンテンツ）を取得することも可能である。
【００１７】
さらに、各コンテンツは、風呂装置に備えられた記憶装置や、風呂装置のリモコンに接続される音楽プレーヤーなどに予め記憶された音楽コンテンツ、動画コンテンツ、若しくは、浴室内の照明制御パターンなどであってよい。また、例えば、家庭内である程度入浴順が決まっている場合には、記憶装置や音楽プレーヤーには多数の音楽データを記憶可能とし、各入浴順毎に予めその入浴順の入浴者の嗜好に応じた再生リストを個別の選択基準として作成して記憶装置や音楽プレーヤーに記憶しておき、推定された入浴順に応じた再生リスト（選択基準）で指定された音楽データが順次再生されるように構成することもできる。また、再生リストは、インターネット上で配信される音楽データや映像データの再生リストであってもよい。なお、照明制御パターンとは、浴室内に設置した各種照明の制御パターンであって、照明制御パターンの再生によって、入浴者の嗜好に合わせた照度、色、模様などを照射するよう構成できる。
【００１８】
また、コンテンツ自動選択手段による一のコンテンツの自動選択のためのアルゴリズム乃至計算式などの自動選択方法は適宜のものであってよく、例えば、予め入浴順に応じて特定のコンテンツに関する情報を個別の選択基準として設定してもよいし、また、入浴順毎に蓄積した過去のコンテンツの再生履歴情報や手動選択履歴情報を個別の選択基準として、現在の入浴者が嗜好する可能性の大きいコンテンツを推定して自動選択するよう構成することもできる。なお、過去のコンテンツの再生履歴情報や手動選択履歴情報に基づいて自動選択するよう構成する場合、過去のコンテンツの再生履歴や手動選択履歴に有意な規則性が認められないときには、自動選択を行わずに、直前の入浴者が選択していたコンテンツがそのまま選択された状態とすることもできる。
【００１９】
好ましくはコンテンツ自動選択手段は浴室外に配置することができ、例えば、台所リモコンをコンテンツ自動選択手段として機能させ、風呂リモコンをコンテンツ再生手段として機能させることができ、両リモコン間のインターホン機能を用いて台所リモコンで選択されたコンテンツの音声信号等の再生信号を風呂リモコンに送出することで選択されたコンテンツを浴室内で再生可能である。
【００２０】
上記本発明の風呂装置において、前記複数のコンテンツは、複数の放送局により公衆無線放送若しくはインターネット通信を介して提供されるものであり、前記コンテンツ自動選択手段は、いずれか一の放送局を自動選択することにより複数のコンテンツのうち一のコンテンツを自動選択するよう構成されていてよい（請求項２）。これによれば、現在の入浴者の嗜好に応じた放送局を自動的に選択して、選択された放送局が配信するコンテンツを入浴者が聴取乃至視聴可能なように再生できる。
【００２１】
さらに、前記複数の放送局のうち一の放送局を手動選択する放送局選択操作手段と、該放送局選択操作手段によって選択された放送局に関する情報を現在の入浴者の入浴順と関連付けて記憶する手動選択情報記憶手段とをさらに備え、前記コンテンツ自動選択手段は、各入浴順に関連付けて前記手動選択情報記憶手段に記憶された放送局に関する情報を各入浴順毎の個別の選択基準とするよう構成されていてよい（請求項３）。かかる構成は、特に、風呂湯はり完了後の家族の入浴順がほぼ一定である場合に特に有用である。すなわち、前日以前の家族構成員の一人一人の入浴時に、各入浴者が自らの嗜好に合った放送局を手動選択して聴取乃至視聴すると、入浴順と関連付けて手動選択した放送局に関する情報（放送局を特定するための識別符号や、放送局名や、放送局に接続するためのＵＲＩ又はチャンネル情報など）が記憶され、その翌日以降（若しくは翌週以降）に家族が同じ入浴順で入浴する場合、記憶された関連付け情報に基づいて現在の入浴者の入浴順に関連付けられた放送局に関する情報に基づいて現在の入浴者が嗜好する可能性の大きい放送局を自動選択させることができ、現在の入浴者の嗜好に合った放送局が配信するコンテンツを再生可能となる。
【００２２】
なお、手動選択情報記憶手段は、一の放送局が短時間のみ（例えば１分未満）選択されていた場合には上記記憶は行わず、一の放送局が一定時間以上（例えば１分以上）選択された場合に上記記憶を行うよう構成しておくことが好ましい。なお、手動選択情報記憶手段は、前日分のみを記憶するものであってもよいが、より的確に現在の入浴順の入浴者の嗜好を推定できるように、複数日数分の情報を記憶しておくことが好ましい。
【００２３】
より好ましくは、前記手動選択情報記憶手段は、選択された放送局に関する情報及び現在の曜日情報を、現在の入浴者の入浴順と関連付けて記憶するよう構成され、前記コンテンツ自動選択手段は、各入浴順に関連付けて前記手動選択情報記憶手段に記憶された放送局に関する情報及び曜日情報を各入浴順毎の個別の選択基準とするよう構成されているものとすることができる（請求項４）。これによれば、曜日によって各入浴者が嗜好する放送局が異なる場合であっても、各曜日毎に入浴順並びに放送局を関連付けて記憶しておくことで、各入浴者がその日に嗜好する放送局をより高い確率で推定することが可能となる。なお、過去１週間分のみ記憶するものとすることもできるが、好ましくは、過去数週間分（例えば４週間分）の情報を記憶させることができる。
【００２４】
また、再生時刻（時刻範囲であってもよいし、再生開始時刻のみであってもよいし、再生終了時刻のみであってもよい）も関連付けて記憶しておくこともでき、さらに好ましくは、一の入浴者が入浴途中で他の放送局に切り替えた場合には、一定時間以上再生していた放送局のすべてについて、入浴順、現在の曜日並びに再生時刻と関連付けて記憶しておくことも可能である。そして、入浴者が変わったことを検出したときに、現在の入浴者の入浴順、現在の曜日、並びに、現在の時刻に対応する記憶情報を参照して、現在の入浴者が嗜好する可能性の高い放送局を自動選択するようコンテンツ自動選択手段を構成しておくことにより、時間帯によって各放送局が配信する番組が変わっても的確に放送局を選択可能である。
【００２５】
上記本発明の風呂装置において、前記複数のコンテンツのうち一のコンテンツを手動選択するコンテンツ選択操作手段と、該コンテンツ選択操作手段によって選択されたコンテンツに関する情報を現在の入浴者の入浴順と関連付けて記憶する手動選択情報記憶手段とをさらに備え、前記コンテンツ自動選択手段は、各入浴順に関連付けて前記手動選択情報記憶手段に記憶されたコンテンツに関する情報を各入浴順毎の個別の選択基準とするよう構成されていてもよい（請求項５）。これによれば、風呂装置内蔵の記憶装置や、外部の音楽プレーヤーに記憶された音楽コンテンツを再生可能とする構成などにおいても、過去の手動選択によるコンテンツの選択の規則性に基づいて、入浴順に応じて適切なコンテンツを自動選択することが可能となる。
【００２６】
この場合においても、前記手動選択情報記憶手段は、選択されたコンテンツに関する情報及び現在の曜日情報を、現在の入浴者の入浴順と関連付けて記憶するよう構成され、前記コンテンツ自動選択手段は、各入浴順に関連付けて前記手動選択情報記憶手段に記憶されたコンテンツに関する情報及び曜日情報を各入浴順毎の個別の選択基準とするよう構成されていてよい（請求項６）。これによれば、曜日によって各入浴者が嗜好するコンテンツが異なる場合であっても、各曜日毎に入浴順並びにコンテンツを関連付けて記憶しておくことで、各入浴者がその日に嗜好するコンテンツを自動選択することが可能となる。
【発明の効果】
【００２７】
本発明によれば、現在の入浴者が嗜好する可能性の高いコンテンツを自動選択可能な風呂装置を提供できる。
【図面の簡単な説明】
【００２８】
【図１】本発明の一実施形態に係る風呂装置の概略ブロック構成図である。
【図２】同風呂装置における手動選択情報記憶手段により関連付けされて記憶される情報のデータ構造図である。
【発明を実施するための形態】
【００２９】
以下、本発明の好適な実施形態を図面に基づいて説明する。
【００３０】
図１は、本発明の一実施形態に係る風呂装置を示しており、該風呂装置は、浴槽ＢＴへの風呂湯はり機能（注湯機能）を有する給湯装置３と、浴槽ＢＴの近傍で浴室の壁面に取り付けられる風呂リモコン１と、浴室外で例えば台所の壁面に取り付けられる浴室外リモコン２（台所リモコン）とにより主構成されている。
【００３１】
給湯装置３は、給湯栓への給湯を行う給湯回路３１と、給湯回路３１から分岐して浴槽ＢＴへの湯はり等のために湯又は水を供給する注湯回路３２と、これらの動作制御を行う制御部３３とを備えている。なお、図１は簡略図として図示したものであり、浴槽ＢＴ内の湯水を追い焚きするための追焚回路をさらに備えることができ、注湯回路３２は給湯回路３１と追焚回路とを接続するものとすることができる。また、図示例では、熱交換器として燃焼ガスの顕熱を回収する一次熱交換器のみを示したが、燃焼排ガスから潜熱を回収する二次熱交換器を組み合わせた潜熱回収型に構成することもできる。
【００３２】
給湯回路３１は、水道水等の給水を給水路３１ａを介して熱交換器３１ｂに導き、熱交換器３１ｂにおいて燃焼バーナ３４で生じる燃焼熱との熱交換加熱により加熱した湯を給湯路３１ｃに出湯させ、この湯を台所や洗面所等の各所の給湯栓まで給湯可能に構成されている。給水路３１ａと給湯路３１ｃとの間には、熱交換器３１ｂをバイパスして給水路３１ａからの給水を給湯路３１ｃに流入させるバイパス路３１ｄが設けられ、バイパス流量調整弁３５の開度制御によってバイパス路３１ｄへの分配比率を調整可能である。なお、給湯路３１ｃには給湯温度センサ３１ｅが設けられている。また、給湯回路３１の適宜箇所、例えば給水路３１ａには、給湯流量を検出するための流量センサ（図示せず）が設けられる。
【００３３】
注湯回路３２には注湯電磁弁３６が設けられているとともに、該注湯電磁弁３６の下流側で圧力式の水位センサ３７が設けられており、該水位センサ３７によって浴槽ＢＴ内の水位を検出可能となされている。
【００３４】
注湯電磁弁３６又は給湯栓が開くことにより給湯回路３１内の流量が最低作動流量ＭＯＱ以上になると、制御部３３は、バイパス流量調整弁３５の開度制御を行うとともに、燃焼バーナ３４における燃焼熱量を適切に制御することによって、給湯路３１ｃからの出湯湯温が設定給湯温度若しくは設定注湯温度となるよう調整される。
【００３５】
また、給湯装置３の制御部３３は、風呂湯はり機能が実行されると、注湯電磁弁３６を開いて浴槽ＢＴ内の水位が設定水位となるまで設定注湯湯温の湯を給湯回路３１及び注湯回路３２を介して浴槽ＢＴ内に注湯し、その後注湯電磁弁３６を閉じるよう制御構成されている。そして、風呂湯はりが完了すると、風呂湯はり完了を示す所定のメッセージを２芯通信回路３８及び２芯通信線Ｌを介して両リモコン１，２の制御部４１，４に送信し、このメッセージを受信した両リモコン１，２の制御部４１，４は、音や表示などにより湯はり完了をユーザーに報知するよう構成されている。なお、風呂湯はり機能は、いずれかのリモコン１，２に設けられた湯はり実行ボタンの操作によって実行させることができる。また、いずれかのリモコン１，２で湯はり予約設定を行うことで、設定された時刻に湯はり完了するよう風呂湯はり機能を実行させることもできる。
【００３６】
風呂リモコン１及び浴室外リモコン２は、いずれも給湯装置３の遠隔操作のために設けられた遠隔操作装置であって、マイコンを制御中枢とする制御部４１，４と、制御部４１，４が給湯装置３の制御部３３や他のリモコンの制御部４，４１との間で２芯通信線Ｌを介して各種情報を送受信するための２芯通信回路５と、マイク６から入力された送信音声信号をＦＭ変調して通信線Ｌに出力するＦＭ送信回路７と、通信線Ｌを介して受信する入力信号から他のリモコンからの受信音声信号を復調してスピーカ８に出力するＦＭ受信回路９とを備えている。これら２芯通信回路５の入出力線５ａ、ＦＭ送信回路７の出力線７ａ、及び、ＦＭ受信回路９の入力線９ａは、各リモコン１，２内部で結線されて入出力部を構成しており、この入出力部に通信線Ｌが接続されている。
【００３７】
浴室外リモコン２の制御部４には時計機能並びにカレンダー機能が実装されており、現在時刻、現在の月日、並びに、現在の曜日をカウントしている。
【００３８】
２芯通信回路５は、通信線Ｌを介して給湯装置３の制御部３３及びリモコン１，２の制御部４１，４同士で相互に制御信号を送受信するために設けられたものであって、制御部４１，４のデジタルデータ入出力ポートに接続され、該ポートから出力された制御信号に基づいて所定の搬送周波数（例えば２５０ｋＨｚ）の搬送波をＡＳＫ変調して通信線Ｌに出力するとともに、給湯装置や他のリモコンから送出されたＡＳＫ変調信号を復調して制御部４１，４のデジタルデータ入出力ポートに供給することによって、風呂リモコン１の制御部４１は給湯装置３の制御部３３並びに浴室外リモコン２の制御部４と各種情報の送受信ができるようになっており、また同様に、浴室外リモコン２の制御部４も給湯装置３の制御部３３並びに風呂リモコン１の制御部４１と各種情報の送受信ができるようになっている。なお、本明細書において、送受信される各種情報には、他のリモコン等に対する制御指令信号も含まれるものとする。また、２芯通信線Ｌは電源重畳式の通信線として用いることができ、給湯装置３から各リモコン１，２への電源供給を２芯通信線Ｌを介して行うことができる。
【００３９】
ＦＭ送信回路７及びＦＭ受信回路９は、風呂リモコン１と浴室外リモコン２との間で全二重通信によるハンズフリーインターホン通話（音声通話）を行うために設けられた通信手段である。
【００４０】
各リモコン１，２のＦＭ送信回路７は、インターホン通話時に音声を入力するためのマイク６で電気信号に変換された送信音声信号を増幅するマイクアンプ１０と、マイクアンプ１０で増幅された音声信号を周波数変調して所定周波数帯のＦＭ変調信号を出力するＦＭ変調回路１１と、ＦＭ変調信号を増幅して入出力部を介して通信線Ｌに出力するバッファアンプ１２とを備えている。
【００４１】
一方、リモコン１，２のＦＭ受信回路９は、入出力部からの入力信号から所定の周波数帯の信号成分を選択的に減衰させて出力するための減衰フィルタ回路１３と、減衰フィルタ回路１３を通過した入力信号（減衰フィルタ回路１３の出力信号）に含まれる所定の周波数帯の信号成分を選択的に通過させる通過フィルタ回路１４と、通過フィルタ回路１４を通過した入力信号（通過フィルタ回路１４の出力信号）に含まれるＦＭ変調信号を検波して復調するＦＭ復調回路１５と、ＦＭ復調回路１５で復調された受信音声信号を増幅するスピーカアンプ１６とを備え、スピーカアンプ１６で増幅された音声信号はスピーカ８によって聴取可能な音響として出力されるようになっている。なお、ＦＭ変調回路１１及びＦＭ復調回路１５は従来公知の種々の回路構成とすることができ、例えばＦＭ変調回路１１は電圧制御発信器（ＶＣＯ）によって構成することができ、ＦＭ復調回路１５はスーパーへテロダイン方式の回路構成など、適宜のものとすることができる。
【００４２】
本実施形態では、全二重通信を実現するために、風呂リモコン１のＦＭ変調回路１１における搬送周波数と浴室外リモコン２のＦＭ変調回路１１における搬送周波数とが異なる周波数となされ、風呂リモコン１のＦＭ変調回路１１が出力するＦＭ変調信号の周波数帯は帯域０．５ＭＨｚの２．３ＭＨｚ帯（第１の周波数帯）となされ、浴室外リモコン２のＦＭ変調回路１１が出力するＦＭ変調信号の周波数帯は帯域０．５ＭＨｚの２．８ＭＨｚ帯（第２の周波数帯）となされている。なお、本発明は、半二重通信を行う構成においても実施可能である。
【００４３】
一方、風呂リモコン１のＦＭ復調回路１５は、浴室外リモコン２のＦＭ変調回路１１が出力する２．８ＭＨｚ帯ＦＭ変調信号を検波・復調するように構成されるとともに、風呂リモコン１の減衰フィルタ回路１３は、風呂リモコン１のＦＭ変調回路１１が出力する２．３ＭＨｚ帯ＦＭ変調信号をノイズ信号として減衰除去するように構成され、風呂リモコン１の通過フィルタ回路１４は、浴室外リモコン２のＦＭ変調回路１１が出力する２．８ＭＨｚ帯ＦＭ変調信号を通過させるが、上側遮断周波数（上側カットオフ周波数）を超える周波数成分並びに下側遮断周波数（下側カットオフ周波数）未満の周波数成分を減衰除去するように構成されている。同様に、浴室外リモコン２のＦＭ復調回路１５は、風呂リモコン１のＦＭ変調回路１１が出力する２．３ＭＨｚ帯ＦＭ変調信号を検波・復調するように構成されるとともに、浴室外リモコン２の減衰フィルタ回路１３は、浴室外リモコン２のＦＭ変調回路１１が出力する２．８ＭＨｚ帯ＦＭ変調信号をノイズ信号として減衰除去するように構成され、浴室外リモコン２の通過フィルタ回路１４は、風呂リモコン１のＦＭ変調回路１１が出力する２．３ＭＨｚ帯ＦＭ変調信号を通過させるが、上側遮断周波数（上側カットオフ周波数）を超える周波数成分並びに下側遮断周波数（下側カットオフ周波数）未満の周波数成分を減衰除去するように構成されている。
【００４４】
これにより、インターホン通話動作時においては、通話切替操作が不要となり、風呂リモコン１のＦＭ送信回路７が出力する２．３ＭＨｚ帯ＦＭ変調信号は浴室外リモコン２のＦＭ受信回路９によって復調されることによって、風呂リモコン１のマイク６から入力された音声信号が浴室外リモコン２のスピーカ８から再生出力されるとともに、浴室外リモコン２のＦＭ送信回路７が出力する２．８ＭＨｚ帯ＦＭ変調信号は風呂リモコン１のＦＭ受信回路９によって復調されることによって、浴室外リモコン２のマイク６から入力された音声信号が風呂リモコン１のスピーカ８から再生出力されるようになっている。なお、インターホン通話動作は、いずれかのリモコン１，２において所定の通話開始操作を行うことによって開始され、かかる通話状態は所定時間（例えば３０秒）継続するか或いは通話終了操作を行うことによって終了するように構成できる。
【００４５】
また、浴室外リモコン２には、ＷｉＦｉ（登録商標）等の所定の無線規格によって宅内に設置され且つインターネットに接続された無線ルータ２０と無線通信するための無線通信回路１７が設けられており、浴室外リモコン２の制御部４は、無線通信回路１７並びに無線ルータ２０を介して所定の通信プロトコルでインターネット上の各種サーバと通信可能に構成されている。なお、ルータ２０と有線接続したり、また、無線通信回路１７として３Ｇ通信回路やＬＴＥ通信回路を採用して無線通信事業者を介してインターネットに接続することもできる。
【００４６】
本実施形態では特に、浴室外リモコン２の制御部４は、インターネット上に構築されたインターネットラジオサービスに接続して、複数の放送局Ａ〜Ｃのうち指定した一の放送局がライブストリーミング配信するラジオ放送（コンテンツ）を受信可能に構成されている。
【００４７】
すなわち、浴室外リモコン２の制御部４には、予め複数の放送局Ａ〜Ｃに接続するための接続情報リスト（各放送局Ａ〜Ｃに対応するＵＲＩのリストなど）が記憶保持されているとともに、該接続情報リストに含まれる複数の放送局Ａ〜Ｃへの接続情報のうちいずれか一の接続情報を現在接続先情報として記憶保持している。
【００４８】
入浴者が風呂リモコン１の操作パネル１ａ（操作部）に設けたラジオＯＮボタン（図示せず）をＯＮ操作すると、風呂リモコン１の制御部４１から浴室外リモコン２の制御部４へラジオＯＮ指令信号が送出される。すると、浴室外リモコン２の制御部４は、現在接続先情報として記憶保持された接続情報を用いて一の放送局に接続して、該放送局が配信するラジオ放送をインターネットを介して受信し、当該受信信号をデコードしてなるアナログ音声信号をＦＭ送信回路７のＦＭ変調回路１１に出力する。これにより、受信したラジオ放送の音声信号が２芯通信線Ｌを介して風呂リモコン１のＦＭ受信回路９に送出され、一の放送局が配信するインターネットラジオ放送が風呂リモコン１のスピーカ８から再生されるようになっている。而して、風呂リモコン１のＦＭ受信回路９及びスピーカ８が、浴室内でコンテンツ（ラジオ放送）を再生するためのコンテンツ再生手段として機能するよう構成されている。
【００４９】
なお、浴室外リモコン２の制御部４は、受信しているラジオ放送に関する情報（放送局名や、配信中の曲名など）を通信線Ｌを介して風呂リモコン１の制御部４１に送信するよう構成でき、風呂リモコン１の制御部４１は、受信したラジオ放送に関する情報を表示部１ｂに表示するよう構成できる。また、ラジオ聴取中は、両リモコン１，２間のインターホン機能を構成するマイクアンプ１０への電源を遮断するよう制御することが好ましい。
【００５０】
放送局Ａ〜Ｃの選局操作は、風呂リモコン１の操作部１ａに設けた上下ボタン（図示せず）によって行うことができる。この上下ボタンは通常時は浴槽ＢＴ内湯温設定を行うためのものであってよく、ラジオ聴取中に放送局選局ボタンとして機能させることができる。すなわち、ラジオ聴取中に上下ボタンを操作すると、風呂リモコン１の制御部４１は放送局の選局指令として受け付けて、通信線Ｌを介して浴室外リモコン２の制御部４に放送局選局指令信号を送出する。浴室外リモコン２の制御部４は、放送局選局指令信号を受信すると、接続情報リストを参照して次の放送局の接続情報を現在接続先情報として記憶更新することで、受信する放送局が切り替わるようになっている。而して、風呂リモコン１の操作部１ａの上下ボタンが、放送局選択操作手段（コンテンツ選択操作手段）として機能するようになっている。
【００５１】
ラジオ聴取を停止するために、風呂リモコン１の操作部１ａのラジオＯＮボタンを長押しするなど所定のラジオＯＦＦ操作を行うことで、風呂リモコン１の制御部４１から浴室外リモコン２の制御部４にラジオＯＦＦ指令信号を送出するよう構成できる。
【００５２】
浴室外リモコン２の制御部４は、風呂湯はり完了時点から現在の入浴者の入浴順を推定する入浴順推定手段として機能するよう構成されている。すなわち、浴室外リモコン２の制御部４は、現在の入浴者の入浴順をカウントするための入浴順カウンタを備えており、給湯装置３の制御部３３から湯はり完了を示す所定のメッセージを受信すると、入浴順カウンタを初期化（例えば「０」に設定）する。そして、上記ラジオＯＮ指令信号を受信することでラジオ放送の未聴取状態から聴取状態に遷移する度に、入浴順カウンタを１つずつ増分していくように構成されている。これにより、複数の入浴者が順次入浴を行う際にラジオＯＮ操作を行うことで入浴順カウンタが増分されていくので、各入浴者が入浴終了時にラジオＯＦＦ操作を行うように促しておくことで、現在の入浴者の入浴順を推定できる。なお、本実施形態における入浴順の推定は、現在の入浴者が嗜好する放送局の選択のために行うものであるから、入浴中にラジオ放送を聴取しない入浴者は無視して差し支えない。
【００５３】
浴室外リモコン２の制御部４は、風呂リモコン１の放送局選局ボタンの操作によって放送局の切り替えが行われ、その後一定時間以上（例えば１分以上）同一の放送局が配信するラジオ番組が聴取されている状態が継続すると、当該放送局が入浴者によって手動選択されたものと確定して、手動選択された放送局に関する情報（放送局を特定するための情報）を、現在の入浴者の入浴順、現在の曜日に関する情報（曜日を特定するための情報）、並びに、現在の時刻に関する情報（時刻を特定するための情報）と関連付けて記憶する手動選択情報記憶手段として機能するよう構成されている。
【００５４】
かかる手動選択情報記憶手段によって記憶される関連付け情報は、例えば図２に示すように、過去４週間分の日々の推定入浴順毎に、手動選択された放送局とその聴取時刻とを関連付けて記憶するものとすることができる。聴取時刻は、ラジオ放送を聴取開始した時刻の「時」情報のみを記憶するものとして図示したが、「時分」情報を記憶しておくこともできる。入浴順は３番目までを図示しているが、４番目以降も記憶させることができる。また、日曜から火曜までを図示し水曜日から土曜日を省略しているが、水曜日から土曜日についても同様に記憶させることができる。また、図示例では、各日の各入浴順毎に一の放送局とその聴取開始時刻のみを関連付けた例を示しているが、一人の入浴者が入浴中に放送局を切り替えた場合にその前後の放送局をすべて記憶するように、各日の各入浴順毎に２以上の放送局とその聴取開始時刻を関連付けて記憶するよう構成することもできる。
【００５５】
なお、図２に示す例において、月曜日の３番目の入浴者の１週前と３週前、及び、火曜日の３番目の入浴者の１週前と３週前と４週前は関連付け情報が記憶されていないが、これらは実際の３番目の入浴者がラジオＯＮ操作しなかったのではなく、実際は１番目若しくは２番目の入浴者がラジオＯＮ操作しなかった場合にも、関連付け情報としては図２に示すような状態となり得る。また、火曜日の１番目の入浴者の１週前と２週前に関連付け情報が記憶されていないのは、入浴者による選局操作（放送局の手動選択）が行われなかったためである。このように、入浴者による選局操作がなされなかった場合には関連付け情報を記憶しないこともできるが、選局操作がなされずとも、入浴者によってラジオＯＮ操作がなされてラジオ聴取が行われた場合には、聴取されていた放送局を記憶しておくことも可能である。
【００５６】
そして、浴室外リモコン２の制御部４は、ラジオＯＮ指令信号の受信時に、現在の入浴者の入浴順に関連付けて手動選択情報記憶手段に記憶されている放送局に関する情報、曜日情報及び時刻情報に基づいて、現在の入浴者が嗜好する可能性の高い放送局を判定して、最も可能性の高い一の放送局を自動選択してインターネット通信を介して当該放送局が配信するラジオ番組（コンテンツ）を受信するよう構成されている。而して、浴室外リモコン２の制御部４は、現在の入浴者の推定入浴順に応じて複数の放送局のうち一の放送局を自動選択することで、複数の放送局がそれぞれ配信する複数のラジオ番組のうち一のラジオ番組（コンテンツ）を自動選択するコンテンツ自動選択手段として機能するよう構成されている。
【００５７】
各入浴順毎の個別の選択基準は適宜のものであってよいが、図２に例示した関連付け情報に基づく自動選択基準の種々の例について説明する。
【００５８】
例えば、各入浴順についての過去の聴取実績に規則性が認められる場合には、当該規則性に基づいて一の放送局を自動選択することができる。具体的には、図２に示す例において、日曜日の一番目の入浴者は、１９時であれば放送局Ｂ、２０時であれば放送局Ｂ、２１時であれば放送局Ｃを聴取するという規則性があると認められるので、日曜日に１番目の入浴者がラジオＯＮ操作を行った場合に現在時刻が１９時〜２０時であれば放送局Ｂを自動選択し、現在時刻が２１時であれば放送局Ｃを自動選択するよう構成できる。２番目の入浴者についても同様に、日曜日の２０時であれば放送局Ｃ、２１時であれば放送局Ａを自動選択するよう構成できる。３番目の入浴者についても同様に、日曜日の２１時であれば放送局Ｂ、２２時であれば放送局Ｃを自動選択するよう構成できる。
【００５９】
月曜日の１番目の入浴者の過去の聴取履歴を参照すると、１９時に放送局Ａが２回、放送局Ｂが２回となっており、単純に回数のみでは判定できないが、このような場合には、直近の聴取履歴であるほど重み付けを大きくして判定して、放送局Ｂを自動選択させることが可能である。また、月曜日の１番目の入浴者の過去の聴取履歴においては聴取時刻が１９時のみであり、その他の時刻の聴取履歴がないが、このような場合でも、他の時刻でも１９時の聴取履歴に基づいて放送局Ｂを自動選択させることができる。また、他の曜日の聴取履歴を参照することで、他の時刻における規則性が認められる場合には、かかる他の曜日の聴取履歴に基づいて一の放送局を自動選択させることも可能である。
【００６０】
また、関連付け情報の記憶データが十分に蓄積されていないことによって有意な規則性が見いだせない場合や、４週間分の関連付け情報が記憶されていても聴取された放送局や聴取時刻がランダムで有意な規則性が見いだせない場合には、無理に自動選択を行う必要はなく、直前の入浴者が聴取していた放送局の選択をそのまま維持することができる。
【００６１】
本発明は上記実施形態に限定されるものではなく、適宜設計変更できる。例えば、特定の入浴順、例えば４番目の入浴者については、過去の聴取実績に基づいて放送局を自動選択するのではなく、予め設定した固定の放送局を自動選択するようにしたり、その他適宜の別個のアルゴリズムを選択基準として一の放送局を自動選択するよう構成することもできる。
【００６２】
また、上記実施形態ではインターネットラジオ放送の聴取の例を示したが、ＦＭ／ＡＭラジオ放送を受信するチューナを浴室外リモコン２に設けて、該チューナの受信周波数を制御部４により制御可能に構成することで、ＦＭ／ＡＭラジオ放送の聴取の場合でも本発明を適用できる。
【００６３】
さらに、自動選択されるコンテンツとして複数の放送局が配信するラジオ番組の例を示したが、コンテンツは種々のものであってよく、例えば多数の音楽データを記憶保持する音楽プレーヤーに対して再生する音楽を指定するための再生リストを複数設けておいて、各入浴順の入浴者毎に嗜好に合った再生リストを個別の選択基準として予め設定しておくことも可能である。
【００６４】
また、入浴順推定手段、コンテンツ自動選択手段、および、手動選択情報記憶手段は、風呂装置を構成するいずれの機器乃至部位に備えられていてもよく、上記実施形態においては、浴室外リモコン２、風呂リモコン１、および、給湯装置３のうちのいずれか、または、その複数に備えることができる。例えば風呂リモコン１を、入浴順推定手段、コンテンツ自動選択手段、および、手動選択情報記憶手段として機能させる場合には、風呂リモコン１にインターネット接続用の無線通信回路を内蔵させることで、風呂リモコン１の制御部４１を、浴室外リモコン２を介さずに直接インターネットに接続させることも可能である。
【符号の説明】
【００６５】
１  風呂リモコン（コンテンツ再生手段）
４  浴室外リモコンの制御部
（入浴順推定手段、コンテンツ自動選択手段、手動選択情報記憶手段）
【図１】
2018017411.tif 000003
【図２】
2018017411.tif 000004